(57)【要約】【課題】エンジンからの駆動力を残稈処理装置に伝達する入り状態と、残稈処理装置に対する駆動力の伝達を絶つ切り状態とに切換え可能なベルトテンションクラッチを備えたトウモロコシ収穫機において、伝動ベルトがばたついて外れることを回避し易くする。【解決手段】テンション輪体３４がクラッチ切り位置ＯＦＦに操作されると、伝動ベルト３３のテンション輪体３４との離間距離を規制するベルト規制部４０を備えている。【選択図】図５
2016067261.tif 000002
【特許請求の範囲】
【請求項１】
収穫部による収穫時に圃場に残された茎稈を回転処理体によって細断処理する残稈処理装置と、
エンジンからの駆動力を前記残稈処理装置に伝達する入り状態と、前記残稈処理装置に対する前記駆動力の伝達を絶つ切り状態とに切換え可能なベルトテンションクラッチとを備え、
前記ベルトテンションクラッチは、
入力ベルトプーリと出力ベルトプーリとに亘って巻回された伝動ベルトに押圧作用して前記伝動ベルトを伝動入り状態に張り操作するクラッチ入り位置と、前記伝動ベルトに対する押圧作用を解除して前記伝動ベルトを伝動切り状態に緩め操作するクラッチ切り位置とに亘って移動操作可能なテンション輪体と、
前記テンション輪体と一体移動するように移動操作され、前記テンション輪体が前記クラッチ入り位置に操作されると、前記テンション輪体による前記伝動ベルトの張り操作を許容し、前記テンション輪体が前記クラッチ切り位置に操作されると、前記伝動ベルトの前記テンション輪体との離間距離を規制するベルト規制部とを備えているトウモロコシ収穫機。
【請求項２】
前記ベルト規制部は、前記伝動ベルトに対して前記テンション輪体が位置する側とは反対側に位置し、
前記テンション輪体が前記クラッチ切り位置に操作されると、前記ベルト規制部が前記伝動ベルトに当接して、前記伝動ベルトの前記テンション輪体との離間距離を規制するように構成されている請求項１に記載のトウモロコシ収穫機。
【請求項３】
前記テンション輪体が前記クラッチ切り位置に操作されると、前記ベルト規制部が前記伝動ベルトを前記テンション輪体に押し付けるように構成されている請求項２に記載のトウモロコシ収穫機。
【請求項４】
前記入力ベルトプーリの周囲に配置され、前記入力ベルトプーリにおけるベルト外れを防止する入力側ベルト外れ防止体、及び、前記出力ベルトプーリの周囲に配置され、前記出力ベルトプーリにおけるベルト外れを防止する出力側ベルト外れ防止体が備えられている請求項１〜３のいずれか一項に記載のトウモロコシ収穫機。
【請求項５】
前記ベルトテンションクラッチは、前記テンション輪体を支持する揺動操作可能なテンションアームと、前記テンションアームに脱着自在なブラケットとを備え、
前記ベルト規制部が前記ブラケットに支持されている請求項１〜４のいずれか一項に記載のトウモロコシ収穫機。
【請求項６】
前記出力ベルトプーリの回転支軸を相対回転可能に支持する支持部材が備えられ、
前記テンションアームは、前記支持部材に相対回転可能に支持されている請求項５に記載のトウモロコシ収穫機。
【請求項７】
前記入力ベルトプーリが前記エンジンの出力軸に相対回転不能に支持され、
前記出力ベルトプーリの回転支軸は、前記収穫部及び前記残稈処理装置に伝動する中継伝動軸である請求項１〜６のいずれか一項に記載のトウモロコシ収穫機。
【発明の詳細な説明】
【技術分野】
【０００１】
本発明は、トウモロコシ収穫機、詳しくは、収穫部による収穫時に圃場に残された茎稈を回転処理体によって細断処理する残稈処理装置と、エンジンからの駆動力を前記残稈処理装置に伝達する入り状態と、前記残稈処理装置に対する前記駆動力の伝達を絶つ切り状態とに切換え可能なベルトテンションクラッチとを備えたトウモロコシ収穫機に関する。
【背景技術】
【０００２】
従来、たとえば特許文献１に示されるように、エンジンから残稈処理装置への伝動をベルトテンション式の残稈処理クラッチによって入り切りするよう構成されたトウモロコシ収穫機があった。
【先行技術文献】
【特許文献】
【０００３】
【特許文献１】特開２０１４−６８５６８号公報
【発明の概要】
【発明が解決しようとする課題】
【０００４】
従来の場合、ベルトテンションクラッチを切り状態に操作して残稈処理装置が停止され、回転処理体の慣性回動に起因して伝動ベルトのばたつき（振れ動き）が発生すると、伝動ベルトが出力ベルトプーリや入力ベルトプーリから外れ易くなる。
すなわち、回転処理体は、茎稈を細断処理する機能を備えるために質量が大きいものになるので、回転処理体の慣性回動が長く続き易い。テンション輪体の付近では、伝動ベルトがテンション輪体によってしか支持されなくてテンション輪体から大きく離れ易いので、伝動ベルトのばたつきの範囲が大きくなる。ばたつきの範囲が大きくなると、伝動ベルトがテンション輪体から横側に外れ易い。伝動ベルトがテンション輪体から横側に外れると、出力ベルトプーリ及び入力ベルトプーリに対して横側にずれて出力ベルトプーリ及び入力ベルトプーリから外れ易い。
【０００５】
本発明の目的は、伝動ベルトがばたついて出力ベルトプーリ及び入力ベルトプーリから外れることを回避し易いトウモロコシ収穫機を提供することにある。
【課題を解決するための手段】
【０００６】
本発明によるトウモロコシ収穫機は、
収穫部による収穫時に圃場に残された茎稈を回転処理体によって細断処理する残稈処理装置と、
エンジンからの駆動力を前記残稈処理装置に伝達する入り状態と、前記残稈処理装置に対する前記駆動力の伝達を絶つ切り状態とに切換え可能なベルトテンションクラッチとを備え、
前記ベルトテンションクラッチは、
入力ベルトプーリと出力ベルトプーリとに亘って巻回された伝動ベルトに押圧作用して前記伝動ベルトを伝動入り状態に張り操作するクラッチ入り位置と、前記伝動ベルトに対する押圧作用を解除して前記伝動ベルトを伝動切り状態に緩め操作するクラッチ切り位置とに亘って移動操作可能なテンション輪体と、
前記テンション輪体と一体移動するように移動操作され、前記テンション輪体が前記クラッチ入り位置に操作されると、前記テンション輪体による前記伝動ベルトの張り操作を許容し、前記テンション輪体が前記クラッチ切り位置に操作されると、前記伝動ベルトの前記テンション輪体との離間距離を規制するベルト規制部とを備えている。
【０００７】
本構成によると、伝動ベルトが伝動切り状態に緩め操作された場合であっても、伝動ベルトのテンション輪体との離間距離をベルト規制部によって規制されるので、伝動ベルトをテンション輪体から離れ難くできる。これにより、回転処理体の慣性回動に起因して伝動ベルトがばたつくことがあっても、伝動ベルトのテンション輪体に掛かる部位におけるばたつきの範囲を小に抑制でき、伝動ベルトをテンション輪体から横側に外れ難くできる。
【０００８】
従って、残稈処理装置を停止させ、回転処理体が慣性回動して伝動ベルトのばたつきが発生しても、伝動ベルトが出力ペルトプーリや入力ベルトプーリから外れない又は外れ難い。
【０００９】
本発明においては、前記ベルト規制部は、前記伝動ベルトに対して前記テンション輪体が位置する側とは反対側に位置し、前記テンション輪体が前記クラッチ切り位置に操作されると、前記ベルト規制部が前記伝動ベルトに当接して、前記伝動ベルトの前記テンション輪体との離間距離を規制するように構成されていると好適である。
【００１０】
本構成によれば、伝動ベルトのテンション輪体との離間距離の規制を構造簡単にできる。すなわち、伝動ベルトをテンション輪体とベルト規制部とによって挟むことで、伝動ベルトのテンション輪体との離間距離を規制できる。つまり、ベルト規制部を伝動ベルトに対してテンション輪体が位置する側とは反対側に配備するだけでよい。
【００１１】
本発明においては、前記テンション輪体が前記クラッチ切り位置に操作されると、前記ベルト規制部が前記伝動ベルトを前記テンション輪体に押し付けるように構成されていると好適である。
【００１２】
本構成によれば、伝動ベルトのテンション輪体との離間距離の規制を構造簡単にできるのみならず、伝動ベルトのテンション輪体からの外れ止めを精度よくできる。すなわち、伝動ベルトをテンション輪体に押し付けた状態で、伝動ベルトのテンション輪体との離間距離を規制できるので、伝動ベルトのテンション輪体に掛かる部位におけるばたつきの範囲をより小に抑制できる。
【００１３】
本発明においては、前記入力ベルトプーリの周囲に配置され、前記入力ベルトプーリにおけるベルト外れを防止する入力側ベルト外れ防止体、及び、前記出力ベルトプーリの周囲に配置され、前記出力ベルトプーリにおけるベルト外れを防止する出力側ベルト外れ防止体が備えられていると好適である。
【００１４】
本構成によれば、ベルト規制部によって伝動ベルトをテンション輪体から外れ難くできるのみならず、伝動ベルトが入力ベルトプーリから外れることを入力側ベルト外れ防止体によって防止でき、さらに、伝動ベルトが出力ベルトプーリから外れることを出力側ベルト外れ防止体によって防止できるので、ベルト外れが極めて生じ難い。
【００１５】
本発明においては、前記ベルトテンションクラッチは、前記テンション輪体を支持する揺動操作可能なテンションアームと、前記テンションアームに脱着自在なブラケットとを備え、前記ベルト規制部が前記ブラケットに支持されていると好適である。
【００１６】
本構成によれば、ベルト規制部が磨滅したなどの場合、ブラケットをテンションアームから取り外すことにより、テンションアームを交換せずに、ベルト規制部だけを交換できる。
【００１７】
本発明においては、前記出力ベルトプーリの回転支軸を相対回転可能に支持する支持部材が備えられ、前記テンションアームは、前記支持部材に相対回転可能に支持されていると好適である。
【００１８】
本構成によれば、伝動ベルトのテンション輪体との離間距離の規制を出力ベルトプーリの近くでできるので、テンション輪体と出力ベルトプーリとの間における伝動ベルトのばたつきの範囲も小に抑制し易く、伝動ベルトをテンション輪体からより外れ難くできる。また、テンションアームを構造簡単に支持できる。すなわち、出力ベルトプーリを支持する支持部材をテンションアームの支持部材に活用できる。
【００１９】
本発明においては、前記入力ベルトプーリが前記エンジンの出力軸に相対回転不能に支持され、前記出力ベルトプーリの回転支軸は、前記収穫部及び前記残稈処理装置に伝動する中継伝動軸であると好適である。
【００２０】
本構成によれば、ベルトテンションクラッチを、エンジンの出力軸から中継伝動軸への伝動手段に活用できる。ベルトテンションクラッチを操作することよって、残稈処理装置と収穫部とを一挙に駆動及び停止操作できる。
【図面の簡単な説明】
【００２１】
【図１】トウモロコシ収穫機の全体を示す側面図である。
【図２】伝動系統図である。
【図３】入り状態のベルトテンションクラッチを示す側面図である。
【図４】ベルトテンションクラッチを示す背面図である。
【図５】切り状態のベルトテンションクラッチを示す側面図である。
【発明を実施するための形態】
【００２２】
以下、本発明の実施の形態を図面に基づいて説明する。
図１は、本発明の実施例に係るトウモロコシ収穫機の全体を示す側面図である。図１に示すように、トウモロコシ収穫機は、機体フレーム１の前部に左右一対の前車輪２が装備され、機体フレーム１の後部に左右一対の後車輪３が装備された走行機体を備えている。左右の前車輪２は、前輪駆動装置４によって駆動される。左右の後車輪３は、操向シリンダ（図示せず）によって操向操作される。走行機体の前部に運転部５が備えられている。運転部５には、キャビン６が設けられている。運転部５の居住空間がキャビン６によって覆われている。
【００２３】
走行機体の前部に、収穫部７が設けられている。収穫部７の基端側が走行機体横方向に延びる支点軸７ａを介して走行機体に支持されている。収穫部７は、昇降シリンダ８によって支点軸７ａを揺動支点にして揺動操作でき、下降作業状態と上昇非作業状態とに亘って昇降操作できる。収穫部７の前端部にデバイダ７ｂが設けられている。収穫部７は、デバイダ７ｂが地面上近くに下降した状態になると、下降作業状態になる。収穫部７は、デバイダ７ｂが地面から高所まで上昇した状態になると、上昇非作業状態になる。
【００２４】
走行機体の後部に、収穫物タンク９が設けられている。収穫部７の後部と、収穫物タンク９の上方とに亘って搬送装置１０が設けられている。搬送装置１０は、運転部５の下方を通る状態の配置で設けられている。搬送装置１０は、搬送終端側ほど上方に位置する状態の傾斜姿勢で設けられている。搬送装置１０の搬送終端側の下方に、ファン装置１１が設けられている。搬送装置１０の後端部に排出装置１２が設けられている。
【００２５】
前車輪２と後車輪３との間に残稈処理装置１３が設けられている。残稈処理装置１３は、支点軸１３ａを揺動支点にして揺動昇降するように走行機体に支持されている。残稈処理装置１３は、油圧シリンダ１４を備えた操作装置によって走行機体に対して昇降操作して、尾輪１３ｂが接地した状態の下降作業姿勢と、尾輪が地面から上昇した状態の上昇非作業姿勢とに亘って昇降操作できる。
【００２６】
走行機体の前車輪２と後車輪３との間の部位にエンジン１５が設けられている。エンジン１５の出力が収穫部７、前輪駆動装置４、ファン装置１１及び残稈処理装置１３の夫々に伝達されるよう構成されている。
【００２７】
トウモロシ収穫機は、収穫部７を下降作業姿勢にした状態で走行機体を走行させることにより、トウモロコシ植物体のうちのトウモロコシ房状体を収穫する収穫作業と、トウモロコシ植物体のうちの茎稈部分を細断処理する細断作業とを行う。トウモロコシ房状体は、トウモロコシ植物体のうち、種子が棒状に連なって房状になっている部位である。
【００２８】
すなわち、機体前方の植立状態のトウモロコシ植物体のうち、収穫対象のトウモロコシ植物体が収穫部７の三列の収穫作業部７ｃ（図２参照）の夫々にデバイダ７ｂによって導入される。各収穫作業部７ｃにおいて、導入されたトウモロコシ植物体における茎稈部分からトウモロコシ房状体が千切り取られ、トウモロコシ房状体の収穫が行われる。各収穫作業部７ｃにおいて収穫されたトウモロコシ房状体が搬送オーガ７ｄ（図２参照）によって収穫部７の後方へ送り出される。収穫部７によるトウモロコシ房状体の収穫が行われ、圃場に植立状態で残った茎稈部分が残稈処理装置１３によって細断処理される。具体的には、残稈処理装置１３は、処理ケース１３ｃと回転処理体１３ｄとを備えている。回転処理体１３ｄが処理ケース１３ｃの内部において、機体横向きの軸芯を回転中心として回転駆動され、茎稈部分が回転処理体１３ｄによって細断される。細断状態になった茎稈部分は、圃場に放出される。
【００２９】
収穫部７からのトウモロコシ房状体が、搬送装置１０によって後方に搬送され、搬送終端部の送出口から後方へ送出される。送出されたトウモロコシ房状体は、供給路Ｋを落下して収穫物タンク９に入り、収穫物タンク９に回収される。ファン装置１１によって供給路Ｋに下方から選別風が供給され、トウモロコシ房状体に混在している切れ葉などの塵埃を選別風によって選別されて除去される。搬送装置１０の搬送終端部にトウモロコシ房状体に混在して搬送された茎稈屑は、排出装置１２によって取出して後方に放出される。
【００３０】
エンジン出力の伝動構造について説明する。
エンジン１５は、走行機体のうちの右横端寄りの箇所に設けられている。エンジン１５は、機体フレーム１が有する前後一対の機体横向きのエンジン搭載フレーム１７（図４参照）に支持されている。具体的には、図３，４に示すように、各エンジン搭載フレーム１７には、エンジンマウント１８が設けられている。エンジン１５の下部における前後側に連結部材１５ａが設けられている。各連結部材１５ａがエンジンマウント１８にクッション材１９を介して連結されている。図２，４に示すように、エンジン１５の機体横内側に出力輪体２０が設けられている。出力輪体２０は、エンジン１５の出力軸１５ｂに相対回転不能に支持されている。
【００３１】
次に、図２に基づいて説明する。エンジン１５の出力輪体２０の駆動力が走行伝動機構２１を介して前輪駆動装置４の入力軸に伝達される。走行伝動機構２１は、伝動ベルトを備えている。出力輪体２０の駆動力が中継伝動機構２２を介して中継伝動軸２３に伝達される。中継伝動軸２３は、エンジン１５の下方に機体横向きに設けられている。中継伝動軸２３の駆動力が、中継伝動軸２３の機体左横側の端部から収穫伝動機構２４を介して収穫部７の入力軸７ｅに伝達される。収穫伝動機構２４は、伝動ベルト２４ａ、変速伝動部２４ｂ及び伝動チェーン２４ｃを備えている。中継伝動軸２３の駆動力が伝動ベルト２４ａによって変速伝動部２４ｂに入力される。変速伝動部２４ｂの出力が伝動チェーン２４ｃによって収穫部７の入力軸７ｅに伝達される。
【００３２】
中継伝動軸２３の駆動力が、中継伝動軸２３の機体左横側の端部からファン伝動機構２５を介してファン装置１１のファン回転支軸１１ａに伝達される。ファン回転支軸１１ａの駆動力が搬送伝動機構２７によって搬送装置１０の駆動軸１０ａ、及び排出装置１２の入力軸１２ａに伝達される。
【００３３】
中継伝動軸２３の駆動力が、中継伝動軸２３の機体右横側の端部から細断伝動機構２６を介して残稈処理装置１３の駆動軸１３ｅに伝達される。細断伝動機構２６は、ギヤ伝動部２６ａ及び伝動ベルト２６ｂを備えている。ギヤ伝動部２６ａの入力ギヤが中継伝動軸２３に相対回転不能に連結されている。ギヤ伝動部２６ａの出力が伝動ベルト２６ｂによって駆動軸１３ｅに伝達される。エンジン１５の出力輪体２０から出力される駆動力が中継伝動機構２２、中継伝動軸２３及び細断伝動機構２６によって駆動軸１３ｅに伝達され、残稈処理装置１３を駆動できる。
【００３４】
図２，３に示すように、中継伝動機構２２は、ベルトテンションクラッチ３０によって構成されている。ベルトテンションクラッチ３０を入り状態に操作することで、エンジン１５から収穫部７、ファン装置１１、搬送装置１０、排出装置１２、及び残稈処理装置１３に対する伝動が入りになり、収穫部７、ファン装置１１、搬送装置１０、排出装置１２、及び残稈処理装置１３を駆動できる。ベルトテンションクラッチ３０を切り状態に操作することで、エンジン１５から収穫部７、ファン装置１１、搬送装置１０、排出装置１２、及び残稈処理装置１３に対する伝動が絶たれ、収穫部７、ファン装置１１、搬送装置１０、排出装置１２、及び残稈処理装置１３を停止できる。
【００３５】
ベルトテンションクラッチ３０について詳述する。
図３，４に示すように、ベルトテンションクラッチ３０は、入力ベルトプーリ３１及び出力ベルトプーリ３２を備えている。入力ベルトプーリ３１と出力ベルトプーリ３２とに伝動ベルト３３が巻回されている。詳しくは、三本の伝動ベルト３３が入力ベルトプーリ３１と出力ベルトプーリ３２とに巻回されている。
【００３６】
入力ベルトプーリ３１は、エンジン１５の出力輪体２０によって構成されている。出力ベルトプーリ３２は、中継伝動軸２３に相対回転不能に支持されている。中継伝動軸２３が出力ベルトプーリ３２の回転支軸になる。
【００３７】
ベルトテンションクラッチ３０には、テンション輪体３４が備えられている。テンション輪体３４は、テンションアーム３５の先端部に支軸３６を介して回転可能に支持されている。テンションアーム３５の基端部にボス部３５ａが設けられている。ボス部３５ａは、支持部材３７の外側に回転可能に嵌められている。支持部材３７は、機体フレーム１の支持フレーム部１ａにステー３８を介して支持されて、中継伝動軸２３を回転可能に支持している。
【００３８】
テンションアーム３５にスプリング３９ａを介して操作ケーブル３９が連結されている。操作ケーブル３９を引き操作や繰出し操作することにより、テンションアーム３５を中継伝動軸２３の回転軸芯を揺動軸芯として揺動操作して、テンション輪体３４をクラッチ入り位置［ＯＮ］とクラッチ切り位置［ＯＦＦ］とにわたって移動操作でき、ベルトテンションクラッチ３０を入り状態及び切り状態に操作できる。操作ケーブル３９は、運転部５においてクラッチレバー（図示せず）に連結されている。
【００３９】
すなわち、図３は、入り状態のベルトテンションクラッチ３０を示す側面図である。図３に示すように、テンション輪体３４をクラッチ入り位置［ＯＮ］に操作すると、テンション輪体３４を各伝動ベルト３３の背面に押圧作用させて各伝動ベルト３３をテンション輪体３４によって伝動入り状態に張り操作でき、ベルトテンションクラッチ３０を入り状態にできる。
【００４０】
図５は、切り状態のベルトテンションクラッチ３０を示す側面図である。図５に示すように、テンション輪体３４をクラッチ切り位置［ＯＦＦ］に操作すると、各伝動ベルト３３に対するテンション輪体３４の押圧作用を解除して各伝動ベルト３３を伝動切り状態に弛め操作でき、ベルトテンションクラッチ３０を切り状態に操作できる。
【００４１】
ベルトテンションクラッチ３０には、ベルト規制部４０が装備されている。ベルトテンションクラッチ３０を切り状態にしたとき、回転処理体１３ｄの慣性回動などに起因して伝動ベルト３３にばたつき（振れ動き）が発生しても、伝動ベルト３３がテンション輪体３４から横側に外れることをベルト規制部４０によって防止でき、伝動ベルト３３が入力ベルトプーリ３１及び出力ベルトプーリ３２から離脱することを防止できる。この離脱防止の構造は、具体的には、次の如く構成されている。
【００４２】
図３，５に示すように、ベルト規制部４０には、一端部から延出した取付アーム部４０ａが備えられている。取付アーム部４０ａの延出端部がテンションアーム３５に支持されており、ベルト規制部４０は、取付アーム部４０ａを介してテンションアーム３５に支持されている。ベルト規制部４０は、各伝動ベルト３３に対してテンション輪体３４が位置する側とは反対側に位置する状態でテンションアーム３５に支持されている。ベルト規制部４０がテンションアーム３５に支持されていることで、テンションアーム３５を揺動操作することにより、ベルト規制部４０をテンション輪体３４と共に揺動移動するように操作できる。
【００４３】
図５に示すように、テンション輪体３４がクラッチ切り位置［ＯＦＦ］に操作されると、ベルト規制部４０がテンション輪体３４と共に移動して各伝動ベルト３３の内面に押圧操作されて、各伝動ベルト３３がベルト規制部４０によってテンション輪体３４に押し付けられ、各伝動ベルト３３のテンション輪体３４との離間距離がベルト規制部４０によって次の如き離間距離に規制される。
【００４４】
伝動ベルト３３がベルト規制部４０によってテンション輪体３４に押し付けられた状態で、伝動ベルト３３がベルト規制部４０及びテンション輪体３４に支持され、回転処理体１３ｄの慣性回動による出力ベルトプーリ３２の回転に起因して伝動ベルト３３のばたつきが生じても、伝動ベルト３３がテンション輪体３４に掛かる部位でばたつく範囲が他の部位でばたつく範囲よりも極めて小になるように離間距離が規制される。
【００４５】
ベルト規制部４０によって規制される離間距離としては、上記した如く伝動ベルト３３がテンション輪体３４に押し付けられた状態で規制される離間距離に代え、次の如き離間距離に設定して実施してもよい。すなわち、ベルト規制部４０が伝動ベルト３３の内面に当接し、伝動ベルト３３がベルト規制部４０によってテンション輪体３４に押し付けられない状態で、伝動ベルト３３がベルト規制部４０とテンション輪体３４とによって挟まれることで、伝動ベルト３３がテンション輪体３４に掛かる部位でばたつく範囲が他の部位でばたつく範囲よりも小になるように離間距離を設定して実施してもよい。
【００４６】
図３に示すように、テンション輪体３４がクラッチ入り位置［ＯＮ］に操作されると、ベルト規制部４０がテンション輪体３４と共に移動して各伝動ベルト３３から離間し、各伝動ベルト３３をテンション輪体３４によって伝動入りの状態に張り操作できる。
【００４７】
ベルト規制部４０は、具体的には、テンションアーム３５に次の如く支持されている。
テンションアーム３５にブラケット４１が連結ボルトによって脱着可能に取り付けられている。取付アーム部４０ａの延出端部がブラケット４１に連結されている。たとえば、ベルト規制部４０が磨滅したとき、ブラケット４１をテンションアーム３５から取り外すことで、テンションアーム３５を交換せずとも、ベルト規制部４０だけを交換できる。
【００４８】
ベルトテンションクラッチ３０の入力ベルトプーリ３１が位置する側に、第１の入力側ベルト外れ防止体４５、及び第２の入力側ベルト外れ防止体４６が配備されている。第１の入力側ベルト外れ防止体４５は、取付アーム部４５ａによってエンジン１５に支持されて、入力ベルトプーリ３１の周囲の所定箇所に保持されている。第２のベルト外れ防止体４６は、取付板部４６ａによって走行機体の支持アーム４７に支持されて、入力ベルトプーリ３１の周囲の所定箇所に保持されている。伝動ベルト３３が入力ベルトプーリ３１から外側に出ようとすると、伝動ベルト３３の背面を第１のベルト外れ防止体４５及び第２のベルト外れ防止体４６によって受け止め支持させて、伝動ベルト３３が入力ベルトプーリ３１から外れることを防止できる。
【００４９】
ベルトテンションクラッチ３０の出力ベルトプーリ３２が位置する側に、出力側ベルト外れ防止体４８が配備されている。出力側ベルト外れ防止体４８は、出力ベルトプーリ３２の回転軸芯に沿った方向視での形状が出力ベルトプーリ３２の周面に沿った円弧形状となるように構成されている。出力側ベルト外れ防止体４８は、ブラケット４２によってステー３８に支持されて、出力ベルトプーリ３２の周囲の所定箇所に保持されている。伝動ベルト３３が出力ベルトプーリ３２から外側に出ようとすると、伝動ベルト３３の背面を出力側ベルト外れ防止体４８によって受け止め支持させて、伝動ベルト３３が出力ベルトプーリ３２から外れることを防止できる。
【００５０】
〔別実施例〕
（１）上記した実施例では、残稈処理装置１３に対する伝動の入り切りの他、収穫部７など残稈処理装置１３以外の装置に対する伝動の入り切りもベルトテンションクラッチ３０によって行なうよう構成した例を示したが、残稈処理装置１３のみに対する伝動の入り切りをベルトテンションクラッチ３０によって行なうよう構成して実施してもよい。
【００５１】
（２）上記した実施例では、ベルトテンションクラッチ３０が三本の伝動ベルト３３を備える例を示したが、二本以下、あるいは四本以上の伝動ベルトを備えて実施してもよい。
【００５２】
（３）上記した実施例では、エンジン１５の出力輪体２０によって入力ベルトプーリ３１を構成した例を示したが、入力ベルトプーリ３１としての専用のプーリを採用して実施してもよい。
【００５３】
（４）上記した実施例では、第１の入力側ベルト外れ防止体４５、第２の入力側ベルト外れ防止体４６、出力側ベルト外れ防止体４８を設けた例を示したが、入力側のベルト外れ防止体を設けて、出力側のベルト外れ防止体を設けずに実施してもよい。また、入力側のベルト外れ防止体を設けず、出力側のベルト外れ防止体を設けて実施してもよい。また、
入力側及び出力側のベルト外れ防止体を設けずに実施してもよい。
【００５４】
（５）上記した実施例では、出力ベルトプーリ３２が入力ベルトプーリ３１の下方に位置する例を示したが、出力ベルトプーリ３２と入力ベルトプーリ３１の上下前後関係は、実施例以外の関係にあっても良い。
【産業上の利用可能性】
【００５５】
本発明は、トウモロコシ房状体の皮剥きを行なう皮剥き装置、皮剥き装置からの包葉と種子粒とを選別する選別装置、選別装置からの種子粒を回収する回収容器などを備えたトウモロコシ収穫機に適用できる。
【符号の説明】
【００５６】
７        収穫部
１３      残稈処理装置
１３ｄ    回転処理体
１５      エンジン
１５ｂ    出力軸
２３      回転支軸（中継伝動軸）
３０      ベルトテンションクラッチ
３１      入力ベルトプーリ
３２      出力ベルトプーリ
３３      伝動ベルト
３４      テンション輪体
３５      テンションアーム
３７      支持部材
４０      ベルト規制部
４１      ブラケット
４５      入力側ベルト外れ防止体
４６      入力側ベルト外れ防止体
４８      出力側ベルト外れ防止体
ＯＮ      クラッチ入り位置
ＯＦＦ    クラッチ切り位置
【図１】
2016067261.tif 000003
【図２】
2016067261.tif 000004
【図３】
2016067261.tif 000005
【図４】
2016067261.tif 000006
【図５】
2016067261.tif 000007